(57)【要約】【課題】  上階の居室空間に影響を与えることなく、下階居室の天井面に床梁を露出させ、上階居室との遮音性や電気配線の格納場所も確保しつつ、居室の美観を高め、空間的な広がりを持たせられるようにする。【解決手段】  床梁１の天面に天井材２を敷設して下階居室１０１の天井面を形成し、床梁１の側面全体を下階居室１０１の天井面に露出する。また、天井材２の上面に適宜間隔で根太４を配設し、この根太４を介して上階居室１０２の床材３を敷設する。根太４同士の間に形成される空間は、吸音材６を充填配置したり、電気コード７２の配線したりするのに利用する。【選択図】  図１
2005213856.tif 000002
【特許請求の範囲】
【請求項１】
床梁の天面に天井材が敷設されて下階居室の天井面が形成され、前記床梁の側面全体が下階居室の天井面に露出されるとともに、天井材の上面に適宜間隔で配設された根太を介して上階居室の床材が敷設されていることを特徴とする床組構造。
【請求項２】
隣接する根太の間に形成される空間に吸音材が充填配置されたことを特徴とする請求項１に記載の床組構造。
【請求項３】
隣接する根太の間に形成される空間に電気コードが配線されたことを特徴とする請求項１または２に記載の床組構造。
【請求項４】
下階居室の天井面に露出する床梁は、居室の周囲に設けられて柱と接合される大梁に対し、根太の高さと天井材の厚みを加えた寸法だけ天端を下げて架設されたことを特徴とする請求項１〜３のいずれかに記載の床組構造。
【請求項５】
四周に組まれたフレームの内側に複数本の根太が適宜間隔で配設され、これらの枠材および根太の下面に天井下地用面材が積層され、上面に床下地用面材および床仕上材が積層されたことを特徴とする床パネル。
【発明の詳細な説明】
【技術分野】
【０００１】
本発明は、木造住宅等の建物における床組構造および床パネルに関する。
【背景技術】
【０００２】
木造住宅の居室空間における意匠性の向上を図る手法として、特許文献１，２に開示されているように、下階の居室の天井を、上方に位置する上段天井面と、上段天井面の周囲に上段天井面よりも下方に位置する下段天井面との上下二段の天井面として、折上天井風の天井を形成し居室空間を広く見せるという手法を用いることがある。また、居室の天井面に積極的に梁を露出させてデザイン的に用い、木造の味わいや空間的な広がりを感じさせるということもなされている。
【０００３】
この種の梁を露出させる構法には大きく分けて３通りあり、
１．天井面を梁せいの中程に設けて梁の下端を露出させるもの、
２．梁の側面全体を露出させるとともに根太や床板の裏面を露出させるもの、
３．梁のピッチを小さくして根太を兼ね、梁の側面全体と床板の裏面を露出させるものがあげられる。
【特許文献１】特開２００２−１７３９９８号公報
【特許文献２】特開２０００−３５５９７７号公報
【発明の開示】
【発明が解決しようとする課題】
【０００４】
梁を露出させる構法のうち、上記構法１による場合には、梁の露出部分が少なく、意匠的な効果に欠けてしまうため上記構法２，３によることが効果的である。しかし、上記構法２，３の場合は、下階居室と上階居室との間に天井ふところが設けられないので、天井照明等の電気配線の格納場所がなく、上階居室との遮音効果も得られないといった問題がある。
【０００５】
加えて、梁が露出されることで、梁そのものの外観や下階の居室から見える上階床材の裏面側の美観、接合部その他の納まりにも配慮しなければならず、そのためのコストアップが避けられないものであった。
【０００６】
また、上下二段の天井面とする場合には、上段天井面を上階の居室側に持ち上げて形成するために、上階居室の床面の高さレベルが上昇し、上階の天井高が低くなって内部空間が狭くなるおそれもあった。
【０００７】
本発明は以上のような問題点にかんがみてなされたものであり、上階居室の内部空間を狭くすることなく、下階の居室に空間的な広がりを持たせられるようにするとともに、上階居室との遮音性や電気配線の格納場所も確保しつつ、床梁を意匠的に用いて下階居室の天井面に露出することのできる床組構造および床パネルを提供する。
【課題を解決するための手段】
【０００８】
前記の課題は、床梁の天面に天井材が敷設されて下階居室の天井面が形成され、前記床梁の側面全体が下階居室の天井面に露出されるとともに、天井材の上面に適宜間隔で配設された根太を介して上階居室の床材が敷設されている床組構造によって解決される。
【０００９】
ここで、居室の周囲に設けられて四隅の柱と連結される梁を特に大梁といい、大梁の内側に配設されて上階居室の床面を支持する梁を床梁というものとする。本発明により、下階居室の天井面には床梁の側面全体を露出させて配設することができるので、床梁に十分な意匠的な効果をもたせることができる。
【００１０】
また、前記の課題は、隣接する根太の間に形成される空間に吸音材が充填配置された床組構造によって解決される。さらに、前記の課題を解決するため本床組構造では、隣接する根太の間に形成される空間に電気コードを配線してもよい。これにより、上階居室との高い遮音性が確保でき、また、上階居室の床材と下階居室の天井材との間に電気配線を行って美観に配慮することができる。
【００１１】
また、前記の課題は、下階居室の天井面に露出する床梁が、居室の周囲に設けられて柱と接合される大梁に対し、根太の高さと天井材の厚みを加えた寸法だけ天端を下げて架設された床組構造によっても解決される。すなわち、本発明により、上階居室の床面の高さレベルを変えずに上下二段の天井面を形成することができるので、上階の居室空間を狭めることなく下階の居室の空間的な広がりを確保することができる。
【００１２】
また、本発明に係る床パネルは、四周に組まれたフレームの内側に複数本の根太が適宜間隔で配設され、これらの枠材および根太の下面に天井下地用面材が積層され、上面に床下地用面材および床仕上材が積層されたことを特徴とする。この発明により、前記の床組構造を工場であらかじめパネル化して施工現場に搬入することができ、短期間で容易に施工することも可能になる。
【発明の効果】
【００１３】
本発明の床組構造および床パネルによれば、前記したように、上階居室の床面の形成には何ら関与していないので、上階の居室空間を狭めるなどの影響を与えることなく下階居室の天井に折上天井風の上下二段階の天井面を形成して天井高を高することができ、空間的な広がりを得ることができる。さらに、かかる天井に、電気コードを配線するスペースを設け、吸音材を配設して上階居室との遮音性を持たせるなどの機能性も確保しつつ、天井面に床梁の側面全体を露出させて意匠的な効果を高めることができる。
【発明を実施するための最良の形態】
【００１４】
以下、本発明に係る床組構造を実施するための最良の形態について、図面を参照しつつ説明する。
【００１５】
図１〜図４は本発明の床組構造の一実施形態を示し、図１は床組構造を床梁に平行する方向から見た断面図、図２は床組構造を床梁に直交する方向から見た断面図、図３，４は本発明の床組構造を採用した居室の天井を示す断面図である。
【００１６】
図示するように、床梁１の天面には、天井材２が敷設されて下階居室１０１の天井面が形成されている。天井材２は、天井下地用面材２１と天井仕上材２２とを積層した構成となっており、例示の形態では、天井下地用面材２１として厚さ１２ｍｍの構造用合板を用いている。そして、このように床梁１の天面に天井材２が敷設されることで、床梁１の側面全体が下階居室１０１の天井面に露出するように構成されている。
【００１７】
天井材２の上面には、根太４が適宜間隔で配設されている。例示の形態では、根太４は高さ４３ｍｍ、幅５０ｍｍで形成されて、約２５０ｍｍの間隔で配設されている。
【００１８】
また、かかる天井材２および根太４を支持している床梁１は、居室１０１の四周に設けられて柱と接合される大梁５に対し、天井材２の厚みと根太４の高さを加えた寸法だけ天端を下げて架設されている。すなわち、例示の形態では大梁５よりも約６０ｍｍ天端を下げて床梁１が架設されている。また、この床梁１は、居室１０１の天井面に約１０００ｍｍ程度の間隔で架設されている。
【００１９】
根太４の上面には、上階居室１０２の床材３が敷設されている。この床材３は、床下地用面材３１と床仕上材３２とを積層した構成となっており、例示の形態では、床下地用面材３１として厚さ２４ｍｍの構造用合板を用い、この構造用合板の上面に厚さ１２ｍｍの床仕上材３２が貼設されている。
【００２０】
さらに、本実施の形態の床組構造においては、上下階の居室間における遮音性を高めるために、隣接する根太４の間に形成された空間に吸音材６が充填配置されている。例示した形態では、吸音材６に厚さ５０ｍｍのグラスウールを用いている。
【００２１】
また、隣接する根太４の間に形成された空間には、電気コード７２の格納部７１も設けられている。格納部７１は、一部の根太４同士を約３０ｍｍ程度の間隔で配設して形成されている。この格納部７１には、下階居室１０１の天井面に取り付けられる照明器具等の電気コード７２が配線される。そこで、格納部７１の下部の天井材２には、適宜の箇所に、配線された電気コード７２を天井面に導出するための配線孔２３が穿設されている。
【００２２】
かかる床組構造において、大梁５の側方には側面材５２が設けられるとともに、大梁５の下面に下段天井面材５３が取り付けられて大梁５が被覆されている。これにより、下階居室１０１の天井の周囲部分に天井ふところ８が形成されている。前記の格納部７１に配線される電気コード７２は、大梁５に設けられた配線用孔５１、および天井材２の端部に取着された継手エルボ７３等を介して居室外から格納部７１へと引き込まれ、適宜の配線孔２３に導出される。
【００２３】
このような床組構造により、下階居室１０１の天井には、折上天井風の上下二段の天井面が形成されて、天井高を一部高くすることができ、上段の天井面には側面全体が露出した複数の床梁１が同方向に走るので居室１０１の意匠性も高めることができる。
【００２４】
次に、本発明に係る床パネルについて説明する。前記の床組構造は、あらかじめ工場でパネル化して床パネル１０とし、現場での施工工程を短縮して形成することも可能である。
【００２５】
床パネル１０は、四周にフレーム１１を組み、このフレーム１１の内側に複数本の根太４を適宜間隔で配設して形成される。そして、フレーム１１および根太４の下面に、天井下地用面材２１および天井仕上材２２を積層し、上面に床下地用面材３１および床仕上材３２を積層してサンドイッチ構造に形成されている。また、床パネル１０には、隣接する根太４の間には吸音材６が充填配置され、電気コード７２を配線するために、一部の根太４同士の間隔を狭めて格納部７１が形成される。
【００２６】
かかる床パネル１０は、天井の中央部に配設される床パネル１０ａと、天井の周囲に配設される床パネル１０ｂとの２種類が用意されている。床パネル１０ａは、床梁１が架設される間隔に合わせた幅で形成され、両端部を床梁１の天面に載置し、ビス等で床梁１に固定される。また、床パネル１０ｂは、大梁５と、大梁５に隣接する床梁１との間隔に合わせた幅で形成されている。そして床パネル１０ｂは、床下地用面材３１（および床仕上材３２）が大梁５の天面を覆うように、大梁５上に配設される床下地用面材３１の端部がフレーム１１の上面から延出して合决り状に形成され、釘またはビス等で大梁５に固定される。
【００２７】
このような構成の床パネル１０により、前記床組構造による意匠的効果や遮音性能等が確保されるだけでなく、施工現場における工数を減らして省力化することができ、施工期間を短縮化することも可能となる。
【００２８】
なお、本発明の床組構造を床パネル１０により形成する場合には、施工時、天井仕上材２２の表面を養生シート等で覆っておくことが好ましく、搬入や内装工事にともなう傷や汚れの付着を防ぐことができる。
【産業上の利用可能性】
【００２９】
本発明に係る床組構造および床パネルは、例えば木造住宅のリビングルームなど、天井高が比較的高く、空間的な広がりや高い意匠性が要求される居室において好適に利用することができる。
【図面の簡単な説明】
【００３０】
【図１】本発明に係る床組構造を床梁に平行する方向から見た断面図である。
【図２】前記床組構造を床梁に直交する方向から見た断面図である。
【図３】本発明の床組構造を採用した居室の天井を床梁に平行する方向から見た断面図である。
【図４】本発明の床組構造を採用した居室の天井を床梁に直交する方向から見た断面図である。
【符号の説明】
【００３１】
床梁      １
天井材    ２
天井下地用面材  ２１
天井仕上材  ２２
床材      ３
床下地用面材  ３１
床仕上材  ３２
根太      ４
大梁      ５
吸音材    ６
格納部    ７１
電気コード  ７２
床パネル  １０
フレーム  １１
下階居室  １０１
上階居室  １０２
【図１】
2005213856.tif 000003
【図２】
2005213856.tif 000004
【図３】
2005213856.tif 000005
【図４】
2005213856.tif 000006